(57)【要約】      （修正有）【課題】電球など所定電流値の光源を使用して充電システムの動作を評価、検査することができる擬似充電評価装置を提供する。【解決手段】商用電源ＡＣを直流化して携帯端末の電池の充電を行い、交流センサー１ならびに充電制御回路２により検出される交流電流値により充電状態を判定して充電する携帯端末を選択するなどの各種充電制御を行う充電システムを検査する装置に関して、電球，ＬＥＤなど所定電流を流すことにより発光する光源、ならびに該光源を交換する構造、またはスイッチにより発光する光源を選択指定する構造を備え、かつ充電システムに擬似負荷Ｌ０として接続するコネクターなどの機能を備える。【選択図】図１
0003201382.tif 000002
【実用新案登録請求の範囲】
【請求項１】
商用電源を直流化して携帯端末の電池の充電を行い、交流センサーならびに充電制御回路により検出される交流電流値により充電状態を判定して充電する携帯端末を選択するなどの各種充電制御を行う充電システムに関して、携帯端末の電池の代わりに電球など所定電流値の光源を擬似負荷として使用し、擬似負荷を交換または切り替えることにより電流値を変更して、交流センサー、充電制御回路など充電システムの動作を評価、検査する擬似充電評価装置。
【考案の詳細な説明】
【技術分野】
【０００１】携帯端末の充電システムに関して、携帯端末の電池の代わりに電球など所定電流値の光源を擬似負荷として使用し、擬似負荷を交換または切り替えることにより電流値を変更して、交流センサー、充電制御回路など充電システムの動作を評価、検査する擬似充電評価装置。
【背景技術】
【０００２】スマートホン、タブレットなど複数の携帯端末に内装される電池を纏めて充電する充電システムにおいて、どの端末を充電するかなどの制御回路を組み込むが、これらシステムが正しく機能しているか否かを評価、検査する評価装置としては、携帯端末そのものを利用するか、または携帯端末を利用せずに抵抗器で擬似負荷を構成するのが一般的である。
【考案が解決しようとする課題】
【０００３】スマートホン、タブレットなど複数の携帯端末を纏めて充電する充電システムはどの端末を充電するかなど複雑な制御を行うが、これらシステムが正しく機能しているか否かを評価、検査する評価装置の負荷として携帯端末そのものを利用した場合は充電電流値を自由に変更、設定して多様な充電状態を作り出すことが容易ではないため評価装置としては適さない。このため、抵抗器などで構成する擬似負荷を接続しての評価、検査を行う方法が考えられるが、携帯端末の充電電流値はかなり大きいため擬似負荷ならびに評価装置が大型、高発熱、高価になるなどの問題を抱えている。
【課題を解決するための手段】
【０００４】商用電源により多種多様な電流値を備え、発熱対策も考慮され、市販されている低価格な電球などの光源を擬似負荷として使用し、光源を容易に交換または切り替えて交流センサーにより検出される電流値に応じて充電制御回路ならびに充電システムの動作を評価、検査する。
【考案の効果】
【０００５】タブレットなどの携帯端末は充電電流が大きいため電池に代わる擬似負荷は大電流、高発熱に耐えなければならないため一般的なカーボン抵抗などは不適であり、ホーロー抵抗のような大型で高価な部品を採用しなければならないと共に、充電電流値を自由に変更、設定して評価、検査を行うためには多様な抵抗値のホーロー抵抗を準備しなければならない。然るに本考案では、商用電源において多様な電流値を備え、発熱が十分に考慮され、低価格で一般的に市販されている電球などの光源を擬似負荷として利用し、光源を簡単に交換または切り替えて交流センサーにより検出される電流値に応じての充電制御機能を評価、検査する擬似充電評価装置を提供する。なお光源を擬似負荷として使用することにより、光源の点灯、消灯により擬似充電が行われていることが視認可能となる効果も極めて大きい。
【考案を実施するための形態】
【０００６】図３は携帯端末Ｔ１，Ｔ２，Ｔ３を充電する充電システムのシステム概念を示す。商用電源ＡＣは交流センサー１を通して給電され、アダプターＡ１，Ａ２，Ａ３によりＤＣ化されて、リレーＲＬ１，ＲＬ２，ＲＬ３がＯＮで接続される携帯端末Ｔ１，Ｔ２，Ｔ３に充電が行われる。充電電流値はセンサー１で計測されて充電制御回路２に送られ、充電制御回路２で充電状態を判定して、たとえば端末を満充電と判断すればリレーをＯＦＦして充電を止め、別の端末の充電を開始するなどの各種制御を行う。一般的に携帯端末に搭載されるリチュウム電池は、充電開始時は急速充電で定電流充電を行い、満充電に近づくと充電電流値が少なくなるため、充電電流を監視すれば端末の充電状態が判る。
【０００７】図２は図３に示す充電システムに関して端末Ｔ０に限定して構成を説明するものであり、端末Ｔ０は交流センサー１を通してＤＣアダプターＡ０でＤＣ化されて充電されるが、端末Ｔ０が接続された構成では、端末への充電電流値は端末に装着される電池の充電状態態で決まり簡単に変更は出来ないため、色々な電流状態において充電制御回路２が想定どおりに機能するか否かを評価、検査することは困難である。このために端末Ｔ０を電球などの光源で構成する擬似負荷Ｌ０に置き換えた構成が図１に示される。擬似負荷Ｌ０は交流センサー１を通して通電されるため、擬似負荷Ｌ０を交換したり、切り替えることによりセンサーを流れる電流値を任意に変化、設定することが容易であり、多様な電流値に対して充電制御回路２がどの様に機能するかを評価、検査することが出来る。
【０００８】擬似負荷Ｌ０としては商用電源において多様な電流値を備え、発熱対策が十分に考慮され、低価格で一般的に市販されている電球などの光源を擬似負荷として利用し、光源を簡単に交換または切り替えて交流センサーにより検出される電流値に応じての充電制御機能を評価、検査する擬似充電評価装置を構成することが出来る。なお光源を擬似負荷として使用することにより、光源の点灯、消灯により擬似充電が行われていることが視認可能となる効果も極めて大きい。擬似負荷として商用電源の電球を利用する場合は５〜１００Ｗ（５０ｍＡ〜１Ａ）まで揃っており、タブレットなど携帯端末の充電電流範囲を十分に満す。
【実施例】
【０００９】図４に本考案に基づく擬似充電評価装置の具体例を示す。端末の代わりに擬似負荷Ｌ１，Ｌ２，Ｌ３を配列して構成する。擬似負荷は商用電源の電球を利用し、電球は口金により任意Ｗのものに簡単に変更が可能である。たとえばＬ１，Ｌ２，Ｌ３にそれぞれ異なる電流の電球を装着して充電制御回路２を評価し、さらにＬ１，Ｌ２，Ｌ３をそれぞれ任意の電流に差し替えれば、差し替えた電流に対して充電制御回路２がどのように機能するかを確認することができる。擬似負荷は手で交換しても良く、予め複数の擬似負荷をスイッチで切り替え可能に配列しておいて切り替え設定することも出来る。また、擬似負荷としてはフィラメント電球でも、ＬＥＤ電球でも良いなど、本考案の趣旨を逸脱しない範囲であれば種々変形実施が可能である。
【図面の簡単な説明】
【００１０】
【図１】本考案に基づく擬似充電評価装置の構成概念図を示す
【図２】携帯端末への充電の構成概念図を示す
【図３】携帯端末充電システムの構成例を示す
【図４】本考案に基づく擬似充電評価装置の構成例を示す
【符号の説明】１              交流センサー
２              充電制御回路
ＡＣ            商用電源
Ｌ０〜Ｌ３      擬似負荷
Ｔ０〜Ｔ３      携帯端末
ＲＬ１〜ＲＬ６  リレー
【図１】
0003201382.tif 000003
【図２】
0003201382.tif 000004
【図３】
0003201382.tif 000005
【図４】
0003201382.tif 000006
【手続補正書】
【提出日】平成27年9月15日(2015.9.15)
【手続補正１】
【補正対象書類名】実用新案登録請求の範囲
【補正対象項目名】全文
【補正方法】変更
【補正の内容】
【実用新案登録請求の範囲】
【請求項１】
商用電源を直流化して携帯端末の電池の充電を行い、交流センサーならびに充電制御回路により検出される交流電流値により充電状態を判定して充電する携帯端末を選択するなどの各種充電制御を行う充電システムを検査する装置に関して、電球，ＬＥＤなど所定電流を流すことにより発光する光源、ならびに該光源を交換する構造、またはスイッチにより発光する光源を選択指定する構造を備え、かつ充電システムに擬似負荷として接続するコネクターなどの機能を備えることにより、電球など所定電流値の光源を使用して充電システムの動作を評価、検査することを特徴とする擬似充電評価装置。